(57)【要約】【課題】身元確認等の個体識別を、より効率的かつより確実に行うことを可能とする。【解決手段】個体識別装置２００を、複数の個体の歯の紋様に関する紋様情報及び各個体に関する個体情報が対応づけられた照合情報が記憶されている記憶部６３（照合情報データベース６３ａ）と、識別対象個体の歯の紋様に関する識別対象情報を取得する識別対象情報取得部７０と、取得した識別対象情報を、記憶部６３の照合情報の紋様情報と照合して、一致する紋様情報に対応づけられた個体情報により識別対象個体を識別する個体識別部７１と、を備えて構成する。【選択図】図８
2020052489.tif 000002
【特許請求の範囲】
【請求項１】
複数の個体の歯の紋様に関する紋様情報及び各個体に関する個体情報が対応づけられた照合情報が記憶されている記憶部と、
識別対象個体の前記歯の紋様に関する識別対象情報を取得する識別対象情報取得部と、
取得した前記識別対象情報を、前記記憶部の前記照合情報の前記紋様情報と照合して、一致する前記紋様情報に対応づけられた前記個体情報により前記識別対象個体を識別する個体識別部と、
を備えたことを特徴とする個体識別装置。
【請求項２】
前記歯の紋様が、周波条、破折線、唇側面隆線、小窩、溝、切縁及び亀裂から選択されるいずれか又は複数の組み合わせであることを特徴とする請求項１に記載の個体識別装置。
【請求項３】
前記紋様情報が、前記個体の上顎中切歯及び上顎側切歯の少なくとも１本の表面の前記紋様情報を少なくとも含むことを特徴とする請求項１又は２に記載の個体識別装置。
【請求項４】
前記紋様情報が、前記個体から収集した前記歯の表面の陰型の撮影画像、又は前記陰型を用いて得られる複数の陽型の撮影画像に基づくものであることを特徴とする請求項１〜３のいずれか一項に記載の個体識別装置。
【請求項５】
前記紋様情報が、前記個体の前記歯の表面に白色光若しくは紫外光を照射して撮影された撮影画像、又は蛍光色素が塗布された前記歯の表面に紫外光を照射して撮影された撮影画像に基づくものであることを特徴とする請求項１〜４のいずれか一項に記載の個体識別装置。
【請求項６】
前記個体情報は、前記個体の氏名、生年月日、年齢、性別、血液型及び連絡先の少なくともいずれかを含むことを特徴とする請求項１〜５のいずれか一項に記載の個体識別装置。
【請求項７】
前記識別対象個体が、身元不明者であり、前記個体識別部での識別結果に基づいて、前記身元不明者の身元を確認する身元確認部を備えることを特徴とする請求項１〜６のいずれか一項に記載の個体識別装置。
【請求項８】
前記個体識別部での識別結果に基づいて、前記個体の認証を行う個体認証部を備えることを特徴とする請求項１〜７のいずれか一項に記載の個体識別装置。
【請求項９】
請求項１〜８のいずれか一項に記載の個体識別装置、及び通信ネットワークを介して前記個体識別装置と接続された情報端末、を備え、
前記情報端末は、前記識別対象情報を前記個体識別装置に出力する識別対象情報出力部と、
前記個体識別装置から識別結果を取得する識別結果取得部と、
取得した前記識別結果を表示する表示部と、
を備えたことを特徴とする個体識別システム。
【請求項１０】
コンピュータを、
複数の個体の歯の紋様に関する紋様情報及び各個体を識別する識別情報が対応づけられた照合情報を記憶する記憶手段と、
識別対象の個体の前記歯に関する識別対象情報を取得する識別対象情報取得手段と、
取得した前記識別対象情報から前記個体の前記歯の前記紋様情報を取得し、前記記憶手段の前記照合情報の前記紋様情報と照合して、一致する前記紋様状態に対応づけられた前記識別情報により当該個体を識別する個体識別手段として機能させるためのプログラム。
【発明の詳細な説明】
【技術分野】
【０００１】
本発明は、個体識別装置、個体識別システム及びプログラムに関する。
【背景技術】
【０００２】
従来、指紋認証や虹彩認証技術を用いて、個人を特定する技術が開示されている（例えば、特許文献１、２参照）。しかしながら、天災や事件事故の被害者等では、遺体の損傷が大きい、遺体の一部しか残っていない、遺体が長期間土中に存在して軟組織が腐敗してしまう等の要因により、指紋や虹彩での個体識別は困難な場合が多い。
【０００３】
これに対して、骨などの硬組織は比較的残り易い。硬組織の中でも、歯は骨に比べてそのままの形で残り易く、白骨体や焼死体等でも残り易いため、個人の識別に有用な歯科所見を得ることが可能である。事実、事件や事故等においては、歯科医療機関に歯科所見に基づく身元確認の関する捜査協力の依頼も少なくない。特に、東日本大震災以来、歯に関する情報をデータベース化して、身元確認を迅速に行おうとする動きがあり、効果を上げている。
【０００４】
また、歯等の硬組織に関する情報が記憶されたデータベースとの照合により、身元確認や個体識別を行う技術の開発も多くなされている（例えば、特許文献３、４参照）。特許文献３には、身元不明者のＸ線撮影画像に基づく歯の有無や治療記録を、データベース（記憶部）に記憶された複数の個人のＸ線照射やＣＴスキャンによる撮影画像及び治療記録と照合して、身元確認を行う身元確認支援システムが開示されている。同様に、特許文献４には、Ｘ線撮影画像等から取得した前歯部、臼歯部、歯槽硬線等の形状に関する情報に基づいて、身元確認や個体識別を行う個体識別装置等が開示されている。
【０００５】
特許文献３、４に記載の従来技術では、データベースに記憶する身元確認用データの収集のために、身元不明者が生前又は事前に歯科医院等でＸ線撮影画像を撮影し、その記録を残しておく必要がある。しかしながら、撮影の手間や診療報酬等の負担があるとともに、Ｘ線照射による被爆の問題もある。また、災害現場等では、身元不明者のＸ線撮影画像をポータブルレントゲン装置で撮影する場合があり、このような装置で得られたＸ線撮影画像と、歯科医療機関のレントゲン装置で得られたＸ線撮影画像とでは、撮影の方向や撮影環境等、撮影条件が異なるため、照合が容易ではない。また、歯の本数や治療記録だけでは、到底の人物まで絞り込むのは困難である。よって、身元確認等の個体識別を、より効率的かつより確実に行うことができる技術の開発が切望されている。
【先行技術文献】
【特許文献】
【０００６】
【特許文献１】特開２００６−０３１３０４号公報
【特許文献２】特開２００６−１３６４５０公報
【特許文献３】特開２０１５−１６４０３６号公報
【特許文献４】特開２０１４−１３５６３号公報
【発明の概要】
【発明が解決しようとする課題】
【０００７】
本発明は、上記の事情に鑑みて為されたもので、身元確認等の個体識別を、より効率的かつより確実に行うことを可能とするものである。
【課題を解決するための手段】
【０００８】
上記の目的を達成するため、本発明に係る個体識別装置は、複数の個体の歯の紋様に関する紋様情報及び各個体に関する個体情報が対応づけられた照合情報が記憶されている記憶部と、識別対象個体の前記歯の紋様に関する識別対象情報を取得する識別対象情報取得部と、取得した前記識別対象情報を、前記記憶部の前記照合情報の前記紋様情報と照合して、一致する前記紋様情報に対応づけられた前記個体情報により前記識別対象個体を識別する個体識別部と、を備えたことを特徴とする。
また、本発明の個体識別装置は、上述のような個体識別装置、及び通信ネットワークを介して前記個体識別装置と接続された情報端末、を備え、前記情報端末は、前記識別対象情報を前記個体識別装置に出力する識別対象情報出力部と、前記個体識別装置から識別結果を取得する識別結果取得部と、取得した前記識別結果を表示する表示部と、を備えたことを特徴とする。
さらに、本発明に係るプログラムは、コンピュータを、複数の個体の歯の紋様に関する紋様情報及び各個体を識別する識別情報が対応づけられた照合情報を記憶する記憶手段と、識別対象の個体の前記歯に関する識別対象情報を取得する識別対象情報取得手段と、取得した前記識別対象情報から前記個体の前記歯の紋様情報を取得し、前記記憶手段の前記照合情報の前記紋様情報と照合して、一致する前記紋様状態に対応づけられた前記識別情報により当該個体を識別する個体識別手段として機能させるためのプログラムである。
【発明の効果】
【０００９】
本発明によれば、身元確認等の個体識別を、より迅速かつより確実に行うことが可能となる。
【図面の簡単な説明】
【００１０】
【図１】第１実施形態に係る印象材及びこの印象材を有する歯の紋様取得用キットの構成を示す概略図である。
【図２】図１に示される歯の紋様取得用キットを用いた歯の紋様取得手順の流れの一例を示すフローチャートである。
【図３】第２実施形態に係る歯紋情報収集装置及び歯紋情報収集システムのハードウェア構成例を示す概略図である。
【図４】図３に示される歯紋情報収集装置の機能ブロック図である。
【図５Ａ】図３に示される歯紋情報収集装置の表示部に表示される画面の一例であり、（ａ）はメニュー画面を示し、（ｂ）は撮影画像取得画面を示し、（ｃ）は照合情報生成画面を示す。
【図５Ｂ】図３に示される歯紋情報収集装置の表示部に表示される画面の一例であり、（ｄ）は照合情報一覧画面を示し、（ｅ）は照合情報確認画面を示す。
【図６】図３に示される歯紋情報収集システムで実行される歯紋情報収集処理の動作の流れの一例を示すフローチャートである。
【図７Ａ】図３に示される歯紋情報収集システムで用いられる撮影画像の一例を示す図である。
【図７Ｂ】図３に示される歯紋情報収集システムで用いられる三次元画像の一例を示す図である。
【図８】第３実施形態に係る個体識別装置及び個体識別システムの機能ブロック図である。
【図９】図８に示される個体識別システムで実行される個体識別処理の動作の一例を示すフローチャートである。
【発明を実施するための形態】
【００１１】
（第１実施形態）
以下、本発明の第１実施形態に係る印象材、この印象材を用いて得られる陰型及び陽型、並びに印象材を有する歯紋収集キットを、図１の概略図を参照しながら説明する。
【００１２】
図１に示すように、本実施形態の印象材１は、動的粘弾性測定により求まる３７℃におけるｔａｎδ３７が０．５以下、８０℃におけるｔａｎδ８０が０．１以上で、かつＪＩＳ  Ｋ  ７２１５：１９８６に準拠してタイプＡデュロメータにより測定された硬さＨＤＡが６０以上の樹脂材２と、樹脂材２を収容するトレー３と、を備えて構成されている。このような印象材１を用いることで、歯の紋様を含む本実施形態の陰型４（図２参照）を得ることができる。ところで、このような特徴のある陰型４又はこの陰型４を用いて得られる陽型の特徴を、物の構造又は特性により直接特定することは、不可能である。即ち、陰型４は、柔らかい状態の印象材１を歯に接触させ、硬化させることで得られるものである。また、陽型は、陰型４に石膏等を流して硬化させること等によって得られるものである。そのため、本実施形態の陰型４又は陽型を、印象材１を用いて得られる陰型４又は陽型と特定している。
【００１３】
本実施形態の印象材１は、人間の歯の紋様の取得に好適に用いることができる。また、生体だけでなく、事故や災害の犠牲となった遺体の歯の紋様を取得することができる。また、人間以外にも、犬、猫等の動物の歯の紋様の取得にも適用することができる。
【００１４】
本実施形態の印象材１は、動的粘弾性測定により求まる３７℃におけるｔａｎδ３７が０．５以下、８０℃におけるｔａｎδ８０が０．１以上で、かつＪＩＳ  Ｋ  ７２１５：１９８６に準拠してタイプＡデュロメータにより測定された硬さＨＤＡが６０以上であることが好ましく、これにより、高温域では歯の紋様の精密な印象を採得できるような粘性を示し、低温域では印象材１や陰型４に必要な適度な弾性と硬度を示すことができる。ｔａｎδ３７が０．５より大きい場合、変形しやすくなり印象取得後の形状が変化しやすくなるおそれがある。ｔａｎδ８０が０．１未満である場合、印象取得する時に樹脂が変形しにくくなるおそれがある。さらに、ＪＩＳ  Ｋ  ７２１５：１９８６に準拠してタイプＡデュロメータにより測定された硬さＨＤＡが６０未満である場合、印象取得後の形状が変化し易くなるおそれがある。なお、ｔａｎδ37は、０．４以下がより好ましく、０．３以下がさらに好ましい。また、ｔａｎδ80のは、０．２以上がより好ましく、０．３以上がより好ましい。
【００１５】
また、樹脂材２としては、ＪＩＳ  Ｋ７２０６に準拠して測定されたビカット軟化点が２０℃以上、８０℃以下であることが望ましく、印象取得操作を行いやすくなることや、歯の紋様の印象をより精密に採取することができる。なお、該ビカット軟化点が２０℃未満の場合、印象取得後の形状が変化し易くなるおそれがあるため好ましくなく、８０℃より大きい場合、変形しにくく歯の紋様を取得しにくくなるため好ましくない。
【００１６】
このような特性を有する樹脂材２の材料としては、特に限定されるものではないが、例えば、ポリエチレン、ポリプロピレン、エチレン−プロピレン共重合体、エチレン−酢酸ビニル共重合体、エチレン−ビニルアルコール共重合体、塩化ビニル等のポリオレフィン系樹脂；シリコン樹脂；天然ゴム、ポリイソプレンゴム、ポリブタジエンゴム、スチレン−ブタジエンゴム、クロロプレンゴム、エチレン−プロピレンゴム、アクリルゴム、イソプレン−イソブチレンゴム、アクリロニトリル−ブタジエンゴム、又はスチレン系エラストマー、オレフィン系エラストマー及びアクリル系エラストマー等のゴム系樹脂等の熱可塑性樹脂材を好適に用いることができる。より好適には、ポリオレフィン系樹脂、シリコン樹脂、及びゴム系樹脂のいずれかからなる板状の熱可塑性樹脂材である。また、これらに硬度や軟化点の調整を目的として可塑剤を添加することができる。これらを用いることで、複数材料の混合等の手間がなく、樹脂材２を加熱するだけで印象を採取することができ、印象材１の取扱い性や印象取得時の作業効率を向上させることができる。また、高温域以外では硬化状態を保つので、保存性も向上させることができる。これらの中でも、印象取得操作がし易いこと、緻密な印象が得られることから、エチレン−酢酸ビニル共重合体が特に好ましい。
【００１７】
また、樹脂材２の形態も、特に限定されるものではなく、ペースト状等の不定形なものであってもよいし、板状やブロック状であってもよい。より好ましくは、板状とすることで、歯の紋様を精密に取得可能で、しかも印象材１及び陰型４の厚みをより少なくすることができる。また、歯の表面側の印象を取得すればよいので、歯全体の陽型を作成する必要がなく、陽型の容積もより小さくすることができる。そのため、印象材１、陰型４、陽型の収納スペース等が少なくて済み、携帯性、搬送性、保管性等に優れ、搬送や保管コストも低減することができる。
【００１８】
さらに好ましくは、熱可塑性樹脂材製の板状の樹脂材２とすることで、樹脂材２で歯全体を包含して印象を採取する必要がなく、加熱により軟化させた樹脂材２を、歯の唇側の表面に押し当てるだけで、手軽で容易に印象を採取することができる。そのため、患者は勿論、歯科医師も、印象の採取に対する抵抗感がなくなり、管理組織等が、印象の採取を積極的に勧め易いものとなり、より多くの個体認証の照合情報を収集することができる。
【００１９】
また、トレー３は、樹脂材２を収容可能であれば、特に限定されるものではない。例えば、金属材、金属製の網材であってもよいし、樹脂材２の軟化温度では変形等しない樹脂材や木材等であってもよく、公知のものを使用することができる。
【００２０】
なお、トレー３は必ずしも備える必要はないが、本実施形態のようにトレー３を備えることで、高温域で軟化した樹脂材２の支持安定性に優れるとともに、樹脂材２を歯に押し当てる際の操作性にも優れるものとなる。特に、高温域での流動性が低い樹脂材２等の保持に好適である。
【００２１】
また、印象材１で採取する歯の紋様としては、周波条、破折線、唇側面隆線、小窩、溝、切縁、亀裂等が挙げられ、身元確認や生体認証等の個体認識に有効な材料（情報）を取得することができる。
【００２２】
また、上記歯の紋様の中でも、周波条が最も好適に挙げられる。この周波条は、歯の表面に現れる紋様であり、図１等に示すように、歯軸に対して水平な複数の線から構成される。この周波条を含む歯の紋様は、エナメル芽細胞によってエナメル質が形成される過程で、歯の表面に形成される紋様であることから、指紋と同様に個体によって形状が異なり、経時により摩耗はあるが、形状そのものは終生変わらないということが知られている。
【００２３】
本発明の発明者は、このような個体固有の周波条に着目し、歯が残り易いという特性も含め、周波条が個体を識別するための識別子として有効なことを知見し、本発明に至ったものである。
【００２４】
また、唇側面隆線、小窩、溝、切縁、亀裂等の紋様も、個体によって形状が異なるため、個体識別の情報として有効である。また、周波条、唇側面隆線、小窩、溝、切縁、亀裂等の中から選択されるいずれか、又は複数の組み合わせからなる紋様を採取することがより望ましく、個体識別に有効なより詳細な情報を取得することができる。以下、本明細書では、上述したような、個体に固有の歯の紋様を、指紋（Finger print）に準えて「歯紋（しもん、Tooth print（発明者による造語）」と呼ぶことがある。
【００２５】
また、印象材１により歯紋を採取することで、歯冠の有無及びその形態、歯並び等の歯の様々な状態を採取することができる。これらも個体によって異なるため、歯紋と併せて識別情報とすることで、個体識別の信頼性をより高めることができる。
【００２６】
上述のような歯紋は、歯であればその表面に現れる。印象の採取の際に歯の欠損があったり、印象の取得後に歯の欠損があったりすることを考慮して、より多くの歯の印象を取得することが望ましい。具体的には、少なくとも左右の中切歯及び側切歯（すなわち、前歯）の範囲、より望ましくは、前歯を含む犬歯から犬歯までの範囲、さらに望ましくは、小臼歯から小臼歯の範囲又は大臼歯から大臼歯までの範囲の印象を採取する。これらの歯の印象の採取は、上顎又は下顎のみでもよいし、上顎及び下顎の双方であってもよい。印象を採取する歯の数が多くなる程、使用する樹脂材２の量が多くなり、陰型４の容量も大きくなるが、本実施形態のように板状の樹脂材２からなる印象材１とすれば、樹脂材２の量が過度に多くなることがなく、陰型４等の容量の増大も抑制できる。
【００２７】
また、歯紋の中でも周波条は、特に切歯（前歯）において特徴的な形状を呈し、さらにこれらの歯頸部でより明瞭に現れる。そのため、周波条は個体識別情報として最も好適である。この周波条の取得のため、より多くの歯の印象を採取してもよいが、周波条が切歯において特徴的であることを利用して、少なくとも上顎の切歯４本、さらには下顎の切歯４本も含めた印象を採取すればよい。前歯のいずれかを欠損している場合等もあるため、前歯の少なくも１本の陰型４を取得し、周波条を取得できれば、個体識別に有効な情報を取得できる。また、臼歯等のいわゆる奥歯に比べて、切歯は唇の表面側に位置しているため、印象も取得し易く、作業性や操作性も向上する。また、陰型４等の容量をより少なくすることができる。ただし、歯の抜けや治療状態の変化等を考慮した場合、できるだけ多くの歯の印象を採取し、歯の紋様情報を取得しておくことが好ましい。特に身元不明者等の個体認証に利用する場合等はより多くの歯の情報を取得しておくことが望ましい。また、ご遺体等の場合は、可能な限り残っている歯の情報を取得することが望ましい。
【００２８】
本実施形態では、上顎中切歯及び上顎側切歯、並びに、下顎中切歯及び下顎側切歯を含む歯の印象を、一度の操作で採取できるように、図１に示すように、１つのトレー３の上下に、上顎用の樹脂材２と、下顎用の樹脂材２とを配置した構成の印象材１（１Ａ）としている。なお、この構成に限定されるものではなく、他の異なる例として、トレー３を上顎用と下顎用に２つに分離し、それぞれのトレー３に樹脂材２を収容した構成の印象材１（１Ｂ）としてもよいし、これら以外の構成としてもよい。
【００２９】
また、上記印象材１は、印象の採取に必要な他の部材を含めた「歯の紋様取得用キット」として提供することができる。図１に示すように、本実施形態の歯の紋様取得キット１０は、歯の唇側の表面の紋様の陰型４を取得するための印象材１と、殺菌消毒剤や消臭剤からなる溶液５ａが収容されており印象材１により得られた陰型４を保管するための密閉容器（密閉袋）５と、密閉容器５を収容して発送するための梱包材６と、を備えている。この他にも、本実施形態では、歯の表面を清浄するための清浄剤を含む清浄具７と、印象の採取の手順や送付手順等が記載された使用方法説明書８とを備えている。
【００３０】
このような部材からなる歯の紋様取得キット１０を、１つの袋や箱に収容して提供することができる。密閉容器５、梱包材６、清浄具７等は、歯科医院等に備えられているが、このようにしてセットものとして提供されることで、歯科医師等が用具を準備する必要がなく、歯科医師等の負担や抵抗感をなくすことができ、歯の紋様の取得から発送までの一連の作業を効率的に行うことが可能となる。また、災害現場等、物資が不足している場所においては、印象に必要なすべての用具が揃った本実施形態の歯の紋様取得キット１０を用いることで、すべての作業を円滑に行うことが可能となる。
【００３１】
印象材１としては、第１実施形態の印象材１Ａ，１Ｂを用いることができるが、これに限定されるものではない。密閉容器５としては、陰型４を収容可能で溶液５ａが流出しないように密閉できるものであれば、特に限定されるものではなく、蓋付きの樹脂容器や密閉できる樹脂袋等を用いることができる。溶液５ａに含まれる殺菌消毒剤としては、特に限定されるものではなく、次亜塩素酸ナトリウム、次亜塩素酸水、強酸性水等を用いることができる。密閉容器５に殺菌消毒剤や消臭剤からなる溶液５ａが収容されていることで、陰型４の殺菌消毒及び消臭が可能となり、感染等を抑制することができる。
【００３２】
密閉容器５には、印象を採取する患者等の氏名、生年月日、年齢、性別、血液型、連絡先等の個体を識別するための個体情報を記載できることが望ましい。また、身元不明者等の印象を採取する場合は、識別ＩＤや発見場所等の情報を個体情報として記載できることが望ましい。これにより、個体情報と陰型４又は陽型とを容易に対応づけて管理することができる。また、個体情報を必ずしも密閉容器５に記載する必要はなく、個体情報記入用紙を別途備え、個体情報を記入した上で密閉容器５と同封して送付する構成とすることもできる。
【００３３】
清浄具７としては、例えば、清浄剤を含有したワッテ７ａが、滅菌された密閉袋７ｂに収容されたものを用いることができる。清浄剤としては、特に限定されるものではなく、アルコール等の一般的な清浄剤を使用することができる。
【００３４】
梱包材６も、特に限定されるものではなく、一般的な封筒、段ボール箱、緩衝材等を用いることができる。本実施形態では、例えば、梱包材６として内側に緩衝材が貼付けられた封筒を用いている。また、梱包材６の表面には、送付先や送付元の住所、名称等の記入欄が設けられている。送付先が決まっている場合には、送付先の住所等を予め記載していてもよいし、さらには送付元の住所等も予め記載しておいてもよく、発送作業をより簡易とすることができる。
【００３５】
上述のような歯の紋様取得キット１０での歯の紋様の取得手順を、図２のフローチャートを参照しながら説明する。
【００３６】
図２に示すように、ステップＳ１では、密閉袋７ｂから取り出したワッテ７ａを用いて、印象を採取する歯Ｔの表面の清浄作業を行う。次のステップＳ２では、印象材１の樹脂材２を加熱により軟化させ、上下の歯Ｔの表面に押し当てることで、歯紋Ｐを含むこれらの歯Ｔの陰型４を取得する。ステップＳ３では、陰型４を水道水等で洗浄し、ステップＳ４で、殺菌消毒剤や消臭剤等の溶液５ａ入りの密閉容器５に収容する。次いでステップＳ５では、梱包材６で密閉容器５を梱包し、送付先や送付元の住所等を記載する。このとき、印象を採取した個体の名前等の個体情報を、密閉容器５に記載してもよいし、個体情報を記載する用紙に記載し、梱包材６に同封してもよい。その後、ステップＳ６でポスト等に投函して発送する。
【００３７】
なお、管理機関の職員が歯科医院等に出向いて、陰型４を収容した密閉容器５（又は密閉容器を収容した梱包材６）を回収するものとしてもよい。また、複数の密閉容器５をまとめて１つに梱包して発送してもよい。
【００３８】
以上、第１実施形態の印象材１、この印象材１によって得られた陰型４及び陽型、並びにこの印象材１を備えた歯の紋様取得キット１０によれば、動的粘弾性測定により求まる３７℃におけるｔａｎδ３７が０．５以下、８０℃におけるｔａｎδ８０が０．１以上で、かつＪＩＳ  Ｋ  ７２１５：１９８６に準拠してタイプＡデュロメータにより測定された硬さＨＤＡが６０以上の樹脂材２を有することで、複雑な歯の紋様であっても、精度よく陰型４や陽型を取得することができる。また、複数の剤の調合等の手間や時間を必要とすることなく、簡易かつ迅速に陰型４や陽型を取得することができる。したがって、身元確認等の個体識別に有効な情報を、より簡易かつより効率的に取得することができ、より多くの情報を収集することが可能となる。
【００３９】
また、本実施形態の印象材１は、歯の表面に押し当てるだけで、簡単に印象を採取することができるため、歯科医師等も手軽な印象の採取が可能となる。また、被爆の心配もなく、口を大きく開ける等の必要もなく、診療報酬も低減でき、患者等の負担も少なくなる。よって、印象を採取される者にとっても、歯科医師等にとっても、歯の紋様取得のための印象を採取することに抵抗がなくなり、積極的な採取を促すことができる。
【００４０】
また、上述のようにして取得された陰型４や陽型そのものを用いて、個体識別を行うことも可能となる。例えば、個体情報とともに陰型４又は陽型を、管理機関で収集して管理する。本実施形態の印象材１は、収納容量が少なくて済み、多くの陰型４等を保管することができる。そして、身元確認等の個体識別の依頼を受けたときに、当該識別対象者の歯そのもの、その陰型４若しくは陽型、又は歯の撮影画像と、保管されている複数の陰型４等と比較することで、個体を識別することができる。
【００４１】
（第２実施形態）
次に、第２実施形態の歯の紋様情報収集装置としての歯紋情報収集装置及び歯紋情報収集システムについて、図３、図４を参照しながら説明する。図３は、第２実施形態に係る歯紋情報収集装置１００及び歯紋情報収集システム１０００のハードウェア構成を示す概略図であり、図４は、機能ブロック図である。
【００４２】
図３に示すように、第２実施形態の歯紋情報収集装置１００は、情報処理部（制御装置）２０を主に備えて構成され、この他にも、入力部２１、表示部２２、通信部２３、撮像部２４等を備えている。また、撮像部２４で撮影された撮影画像や、収集した歯紋情報等を印刷する出力部としてのプリンタ等を備えていてもよい。
【００４３】
また、本実施形態の歯紋情報収集装置１００は、通信ネットワークＮを介して複数の情報端末２５，２５，・・・と接続され、歯紋情報収集システム１０００を構成している。
【００４４】
歯紋情報収集装置１００は、歯紋情報を収集して管理する管理機関に備えられている。管理機関は、特に限定されるものではなく、例えば、国の機関であってもよいし、歯科医師会やこれに関連する機関であってもよいし、データ管理会社等の企業であってもよい。
【００４５】
入力部２１は、個体情報等の各種情報、歯紋情報収集装置１００の動作に必要な操作指示等を入力するための機器である。このような入力部２１としては、例えば、キーボード、マウス、テンキー等が挙げられる。また、表示部２２がタッチパネルディスプレイの場合には、タッチパネル画面も入力部２１として機能する。
【００４６】
表示部２２は、歯紋情報収集装置１００の操作画面、撮像部２４等で取得した歯の紋様を含む撮影画像等が表示される機器である。表示部２２としては、例えば、液晶ディスプレイ（ＬＣＤ）、有機エレクトロルミネッセンス（有機ＥＬ）ディスプレイ等の電子表示デバイスが好適に挙げられるが、これに限定されるものではない。
【００４７】
通信部２３は、通信ネットワークＮを介して情報端末２５と通信するための機器である。通信部２３としては、通信モデム、ルータ等が挙げられる。通信ネットワークＮは、例えばインターネットを使用することができるが、専用通信回線等を使用してもよい。
【００４８】
撮像部２４は、第１実施形態に係る印象材１で取得された陰型４又はこの陰型４を元に作成された陽型を撮影する機器である。撮像部２４としては、特に限定されるものではなく、例えば、デジタルカメラ、ＣＣＤカメラ、ＣＴスキャナ、３Ｄスキャナ等が挙げられる。この中でも、撮像部２４として、ＣＴスキャナや３Ｄスキャナを好適に用いることができ、これらで撮影した撮影画像（光学印象）から、歯の紋様（歯紋）に関する紋様情報（以下、「歯紋情報」という。）を、より詳細かつより高精度に取得することができる。陰型４又は陽型からなる模型を用いた場合は、３Ｄスキャナ等であっても撮影を容易に行うことができる。また、所望の角度でより精密な撮影が可能となる。
【００４９】
なお、歯紋情報としては、歯、陰型４、陽型を撮影した画像情報、画像情報を解析して取得した紋様の座標その他の数値情報等が挙げられる。さらに陰型４や陽型の表面に現れる歯の紋様も、歯紋情報に含まれる。また、歯紋情報と併せて、歯冠形態、歯並び等の歯の状態に関する情報も取得することが望ましい。
【００５０】
また、ＣＴスキャナや３Ｄスキャナ等を用いた口腔スキャンにより、口腔内にある歯の三次元画像（光学印象）を取得し、この光学印象から歯紋情報を取得してもよい。昨今の３Ｄスキャナ技術等の飛躍的な進歩により、より低コストで小型であり、より手軽に光学印象を採取できる製品が上市されつつある。このような３Ｄスキャナ等を用いることで、人体（特に生体）の光学印象も、撮影者や被撮影者の経済的、身体的負担を低減して、低コストで容易に取得することができる。
【００５１】
情報処理部２０のハードウェア構成としては、図３に示すように、ＣＰＵ３０、ＲＯＭ３１、ＲＡＭ３２、入力Ｉ／Ｆ（インタフェース）３３、出力Ｉ／Ｆ３４、通信Ｉ／Ｆ３５、外部機器Ｉ／Ｆ３６、記憶部３７等から構成される。
【００５２】
ＣＰＵ３０は中央演算処理装置であり、歯紋情報収集装置１００全体の動作を制御する。ＲＯＭ３１は、読出専用メモリであり、ＣＰＵ３０が実行する制御プログラムや歯紋情報収集プログラム等が記憶されているが、これらのプログラムは記憶部３７に記憶されていてもよい。ＲＡＭ３２は随時書込読出メモリであり、ＣＰＵ３０のワークエリアとして使用される。すなわち、ＣＰＵ３０は、ＲＡＭ３２をワークエリアとして、ＲＯＭ３１等に記憶された歯紋情報収集プログラムを実行して、歯紋情報収集装置１００を動作させる。
【００５３】
入力Ｉ／Ｆ３３は、入力部２１とＣＰＵ３０とを接続するためのインタフェースである。出力Ｉ／Ｆ３４は、表示部２２とＣＰＵ３０とを接続するためのインタフェースである。通信Ｉ／Ｆ３５は、通信部２３とＣＰＵ３０とを接続するためのインタフェースである。外部機器Ｉ／Ｆ３６は、外部機器としての撮像部２４とＣＰＵ３０とを接続するためのインタフェースである。
【００５４】
記憶部３７は、ハードディスク、フラッシュメモリ等の記録媒体から構成される。記憶部３７には、歯紋に関する歯紋情報と、個体を識別する個体情報とが関連付けられた照合情報が記憶される。
【００５５】
歯紋情報としては、例えば、歯紋を含む歯を撮影した撮影画像、歯紋を含む歯の陰型４を撮影した撮影画像のデジタルデータであってもよいし、これらの撮影画像から、歯の紋様に関する情報のみを抽出したデジタルデータであってもよい。
【００５６】
個体情報としては、歯紋を採取した個体（個人）を識別可能であれば、特に限定されるものではないが、例えば、個体の氏名、生年月日、年齢、性別、血液型及び連絡先の少なくともいずれかを含むことが望ましい。また、個人情報保護の観点から、個体情報を、数字や記号で表した識別ＩＤを個体情報として用いてもよい。
【００５７】
本実施形態では、このような情報処理部２０として、サーバ用パーソナルコンピュータ（ＰＣ）を用いているが、これに限定されることはなく、汎用大型コンピュータ（メインフレーム）等を用いることもできる。また、サーバ用ＰＣは、クラウドコンピューティングサービスを利用したものであってもよいし、自社のサーバ用ＰＣであってもよい。また、サーバ用ＰＣに限定されることもなく、一般的なＰＣを用いてもよい。
【００５８】
情報端末２５は、歯科診療機関、陰型４や陽型を回収して保管する機関等に設置される。情報端末２５は、ＣＰＵ、ＲＡＭ、ＲＯＭ等を備えたデスクトップ型又はノート型ＰＣであってもよいし、スマートフォン、携帯電話、タブレット端末の携帯情報機器であってもよい。本実施形態では、例えば、１つ又は複数の歯科診療機関等に設置された情報端末２５から、通信ネットワークＮを通じて、撮像画像及び撮影画像と対応づけられた個体情報を歯紋情報収集装置１００に送信することも可能となっている。この場合、これらの情報をメールに添付して送信してもよいし、情報端末２５が、セキュリティ対策されたクラウドストレージにこれらの情報をアップロードし、歯紋情報収集装置１００側でダウンロードしてもよい。情報端末２５からのこれらの情報は、例えば記憶部３７に記憶される。
【００５９】
また、撮影画像及び個体情報は、ＵＳＢメモリ、ＣＤ、ＤＶＤ等の外部記録媒体から取得するものであってもよい。
【００６０】
情報端末２５や外部記録媒体から取得される撮影画像としては、歯科診療機関や陽型の加工所等で撮影された陰型４又はその陽型の撮影画像が挙げられる。撮影画像としては、陰型４等をＣＴスキャナや３Ｄスキャナで撮影した三次元画像（光学印象）が特に望ましい。この他にも、撮影画像として、患者等の個体の歯の唇側の表面に白色光（通常光）又は紫外光（例えば、３７０ｎｍ近傍の紫外光）を照射して撮影された撮影画像、蛍光色素が塗布された歯の唇側の表面に紫外光を照射して撮影された撮影画像が挙げられる。また、口腔内にある歯を直接にＣＴスキャナや３Ｄスキャナで撮影した三次元画像（光学印象）も挙げられる。
【００６１】
次に、図４の機能ブロック図を用いて、情報処理部２０の機能について説明する。この図４に示すように、情報処理部２０は、撮影画像取得部４０、歯の紋様情報取得部としての歯紋情報生成部４１、入力情報取得部４２、照合情報生成部４３、表示画像制御部４４及び記憶部３７として機能する。
【００６２】
撮影画像取得部４０は、撮像部２４から入力される画像信号をデジタル信号に変換し、適宜の画像処理を施して撮影画像を取得する。また、撮影画像取得部４０は、通信ネットワークＮを通じて情報端末２５から送信される撮影画像や、外部記録媒体で提供される撮影画像を取得する。
【００６３】
ここで、撮影画像取得部４０で取得される撮影画像の一例を、図７Ａ、図７Ｂを参照して説明する。図７Ａは、２本の異なる歯の唇側の表面の撮影画像である。図７Ａの紙面左から、歯の表面に白色光（通常光）を照射して撮影した撮影画像、通常光で撮影した撮影画像を画像処理した画像、歯の表面にＵＶ光（紫外光）を照射して撮影した撮影画像を画像処理した画像、表面に蛍光色素を塗布した歯にＵＶ光を照射して撮影した撮影画像を画像処理した画像、陰型４を撮影した撮影画像である。いずれの場合でも、歯紋、特に周波条が明確に観察される。なお、撮影画像に対する上記画像処理は、撮像部２４又は情報端末２５側で行ってもよいし、歯紋情報生成部４１で行ってもよい。また、図７Ｂは３Ｄスキャナで撮影した歯の三次元画像（光学印象）を画像処理して得られた、歯の周波条の三次元画像である。また、図７Ｂには、撮影条件等も示している。この図７Ｂの三次元画像には、歯の周波条の紋様が鮮明に現れている。
【００６４】
歯紋情報生成部４１は、撮影画像取得部４０で取得した撮影画像を解析して、周波条等の歯紋を検出し、歯紋情報のデジタルデータを生成（取得）する。歯紋情報としては、例えば、歯紋を含む歯の撮影画像のデジタルデータそのものであってもよいし、歯紋の種類、位置情報、色情報等のデータであってもよい。
【００６５】
入力情報取得部４２は、個体情報を取得する個体情報取得部として機能する。この個体情報は、入力部２１から入力される。また、個体情報は、通信ネットワークＮを介して情報端末２５から送信されたり、外部記録装置により提供されたりする。照合情報生成部４３は、歯紋情報生成部４１で生成した歯紋情報と、入力情報取得部４２で取得した識別情報とを対応づけて照合情報を生成し、記憶部３７に記憶する。また、入力情報取得部４２は、入力部２１から入力される歯紋情報生成指示等の指示情報も取得する。
【００６６】
また、他の異なる実施形態として、例えば、陰型４等に、識別情報や識別情報を示すマーカやラベル等を付し、陰型４等の撮影とともに識別情報等を撮影し、撮影画像を解析して、歯紋情報と識別情報とを一緒に取得してもよい。
【００６７】
表示画像制御部４４は、歯紋情報収集装置１００で実行する処理の選択のためのメニュー画面５０（図５Ａ（ａ）参照）を表示部２２に表示する。操作画面には、例えば、撮像部２４での撮影から照合情報生成までの実行を指示する新規作成ボタン５０ａ、歯紋情報を含む照合情報の確認、編集、削除のための照合情報確認ボタン５０ｂ等が表示される。
【００６８】
また、表示画像制御部４４は、撮影画像を取得するための撮影画像取得画面５１（図５Ａ（ｂ）参照）を表示部２２に表示する。撮影画像取得画面５１は、撮像部２４での陰型４等の撮影を指示する撮影ボタン５１ａ、情報端末２５や外部記録装置から撮影画像を取得するための外部取込みボタン５１ｂ、照合情報生成に進むための生成ボタン５１ｃ、取得した撮影画像が表示される画像表示領域５１ｄ等を有している。この他にも、撮影条件等の設定ボタンや戻りボタン等を有していてもよい。
【００６９】
また、表示画像制御部４４は、歯紋情報を含む照合情報生成のための照合情報生成画面５２（図５Ａ（ｃ）参照）を表示部２２に表示する。照合情報生成画面５２は、歯紋情報生成部４１で取得した歯紋情報を表示する歯紋情報表示領域５２ａ、個体情報を入力又は表示する個体情報表示領域５２ｂ、これらの情報を記憶して保存するための保存ボタン５２ｃ等を有している。
【００７０】
また、表示画像制御部４４は、内容の確認、編集、削除をする照合情報を選択するための照合情報一覧画面５３（図５Ｂ（ｄ）参照）を表示部２２に表示する。照合情報一覧画面５３には、例えば、照合情報のＩＤと、氏名等の個体情報の一部等が一覧となって表示される。また、表示画像制御部４４は、照合情報の内容の確認、編集、削除のための照合情報確認画面５４（図５Ｂ（ｅ）参照）を表示部２２に表示する。照合情報確認画面５４は、歯紋情報表示領域５４ａ、個体情報表示領域５４ｂを有し、さらに編集ボタン５４ｃ、削除ボタン５４ｄ、終了ボタン５４ｅ等を有している。
【００７１】
上述のような構成の歯紋情報収集装置１００及びこの歯紋情報収集装置１００を備える歯紋情報収集システム１０００で実行される歯紋情報収集処理（歯紋情報収集方法、歯紋情報収集プログラム）の一例を、図５Ａ、図５Ｂの表示画面の一例及び図６のフローチャートを参照しながら説明する。
【００７２】
まず、歯紋情報収集装置１００の操作者は、情報処理部２０としてのＰＣや撮像部２４等のスイッチをＯＮにして、歯紋情報収集装置１００を起動する。これにより、歯科治療支援プログラムが起動し、表示画像制御部４４が表示部２２の表示面に、図５Ａ（ａ）に示すメニュー画面５０を表示する（ステップＳ１）。
【００７３】
このメニュー画面５０で、新規作成ボタン５０ａがクリックされて選択されると（ステップＳ２の判定がＹＥＳ）、表示画像制御部４４は、図５Ａ（ｂ）に示す撮影画像取得画面５１を表示部２２に表示する（ステップＳ３）。
【００７４】
次に、撮影画像取得部４０が、歯紋を含む撮影画像を取得する（ステップＳ４）。撮像部２４によって陰型４等を撮影して撮影画像を取得する場合は、操作者は、撮影画像取得画面５１で撮影ボタン５１ａをクリックする。これにより、撮影画像取得部４０の制御の下、撮像部２４が陰型４等の二次元画像や三次元画像を撮影し、撮影された撮影画像が撮影画像取得部４０により取得される。
【００７５】
これに対して、情報端末２５から受信した撮影画像又は外部記録装置に記憶された撮影画像を取り込む場合は、操作者は、撮影画像取得画面５１の外部取込みボタン５１ｂをクリックする。これにより、記憶部３７や外部記録媒体のフォルダやファイルを指定するツール等が立ち上がり、撮影画像のファイルを選択することで、撮影画像を取得させることができる。
【００７６】
取得された撮影画像は、表示画像制御部４４によって撮影画像取得画面５１の画像表示領域５１ｄに表示される（ステップＳ５）。操作者は、画像表示領域５１ｄに表示された撮影画像を視認することで、撮影が適切に行われたか否かを認識することができる。撮影が適切でない場合は、操作者が撮影ボタン５１ａを再度クリックすることで撮影画像の取得（ステップＳ４）、撮影画像の表示（ステップＳ５）が実行され、撮影をやり直すことができる。
【００７７】
撮影画像が取得され、操作者によって生成ボタン５１ｃがクリックされると、表示画像制御部４４は、図５Ａ（ｃ）に示す照合情報生成画面５２を表示部２２に表示する（ステップＳ６）。次いで、歯紋情報生成部４１は、撮影画像に基づいて、歯紋情報を取得する（ステップＳ７）。
【００７８】
この歯紋情報は、撮影画像から所定の歯、例えば、上顎及び下顎の中切歯及び側切歯並びに歯紋の画像を抽出した画像であってもよいし、これらの歯から歯紋のみを抽出した画像であってもよい。また、これらの画像に、歯紋の線を重畳して、歯紋をより明確に表してもよい。例えば陰型４の撮影画像の場合、撮影画像を解析して、歯の外形や歯紋を抽出し、陰型４の画像上に歯の外径や歯紋を表す線を重畳した画像を歯紋情報としてもよいし、陽型の画像（歯の画像）に変換した上で、歯の外形や歯紋を表す線分を重畳した画像を歯紋情報としてもよい。
【００７９】
また、歯に白色光又は紫外光を照射して撮影された撮影画像、蛍光色素が塗布された歯の唇側の表面に紫外光を照射して撮影された撮影画像の場合も、上顎と下顎の中切歯及び側切歯の画像を抽出した画像を歯紋情報とすることができる。また、このような画像に、歯紋の線を重畳してもよい。なお、撮影画像を取得する歯が、中切歯や側切歯に限定されるものではない。例えば、生体認証に用いる場合は、撮影する歯の本数が少なくてもよいが、身元不明者等の身元認証に用いる場合は、できるだけ多くの歯（より好ましくは存在するすべての歯）の撮影画像を取得しておくことが望ましい。
【００８０】
また、上述のような歯紋の画像に加えて、撮影画像を解析して取得した歯紋の画像上での位置座標、色、その他の特徴を、歯紋情報に加えてもよい。さらに、歯紋情報と併せて、歯冠形態、歯並び等の歯の状態に関する情報も取得してもよい。取得された歯紋情報は、表示画像制御部４４によって、照合情報生成画面５２の歯紋情報表示領域５２ａに表示される（ステップＳ８）。
【００８１】
次に、入力情報取得部４２が、個体情報を取得する（ステップＳ９）。具体的には、例えば、操作者が、密閉容器５の表面又は個体情報記入用紙に記載された個体情報を、入力部２１から入力すると、入力された個体情報が、入力情報取得部４２によって取得される。また、画像情報を記憶部３７や外部記録媒体から取得している場合は、個体情報も、記憶部３７や外部記録媒体から取得することができる。
【００８２】
取得された個体情報は、表示画像制御部４４によって、照合情報生成画面５２の個体情報表示領域５２ｂに表示される（ステップＳ１０）。操作者は、照合情報生成画面５２の歯紋情報と個体情報を確認して、これらの情報が適切であれば、保存ボタン５２ｃをクリックする。
【００８３】
この保存の指示を入力情報取得部４２が受付け、照合情報生成部４３に通知する。照合情報生成部４３は、歯紋情報と個体情報とを対応づけ、ＩＤ等を付して照合情報を生成し、記憶部３７に記憶する（ステップＳ１１）。次いで、操作者が撮影終了ボタン等をクリックし、撮影画像の取得の終了の指示を入力すると、この終了の指示を入力情報取得部４２が受付け（ステップＳ１２の判定がＹＥＳ）、処理を終了する。これに対して、終了の指示がない場合は（ステップＳ１２の判定がＮＯ）、ステップＳ３に戻り、表示部２２への撮影画像取得画面５１が表示され、操作者は次の撮影画像の取得を続行することができる。ステップＳ３〜ステップＳ１１を繰り返すことで、新たな照合情報を生成して記憶することができる。
【００８４】
一方、ステップＳ１で表示されたメニュー画面５０で、確認ボタン５０ｂがクリックされて選択されると（ステップＳ２の判定がＮＯ）、表示画像制御部４４は、図５Ｂ（ｄ）に示す照合情報一覧画面５３を表示部２２に表示する（ステップＳ１３）。この照合情報一覧画で、所定のレコードを選択してクリック等すると、表示画像制御部４４は、図５Ｂ（ｅ）に示す照合情報確認画面５４を表示部２２に表示する（ステップＳ１４）。この照合情報確認画面５４で、編集ボタン５４ｃをクリックすることで、個体情報表示領域５４ｂの個体情報を修正することができる。また、削除ボタン５４ｄをクリックすることで、当該照会情報のレコードを記憶部３７から削除することができる。照合情報生成部４３は、照合情報確認画面５４での照合情報の修正や削除の指示に応じて、記憶部３７を更新する（ステップＳ１５）。また、終了ボタン５４ｅのクリックを受け付けると、照合情報一覧画面５３に戻って他のレコードの編集や削除を行ったり、照合情報確認の処理を終了したりすることができる。
【００８５】
以上説明したように、第２実施形態の紋様情報収集装置としての歯紋情報収集装置１００は、記憶部３７と、個体の歯の紋様を含む歯の撮影画像を取得する撮影画像取得部４０と、撮影画像に基づいて、当該個体の歯の紋様に関する紋様情報（歯紋情報）を取得する紋様情報取得部（歯紋情報生成部４１）と、取得した紋様情報及び個体を識別する個体情報を関連付けて、照合情報を生成し記憶部３７に記憶する照合情報生成部４３と、を備えている。また、第２実施形態の歯紋情報収集システム１０００は、第２実施形態の歯紋情報収集装置１００と、通信ネットワークＮを介して接続される情報端末２５と、を備えている。
【００８６】
また、第２実施形態で実行されるプログラムは、コンピュータを、記憶手段（記憶部３７）と、個体の歯の紋様を含む歯の撮影画像を取得する撮影画像取得手段（撮影画像取得部４０）と、撮影画像に基づいて、個体の歯の紋様に関する紋様情報を取得する紋様情報取得手段（歯紋情報生成部４１）と、取得した紋様情報を、個体を識別する個体情報と関連付けて照合情報を生成して記憶手段（記憶部３７）に記憶する照合情報生成手段（照合情報生成部４３）として機能させるプログラムである。
【００８７】
したがって、第２実施形態によれば、歯の陰型４又は陽型の撮影画像、歯の撮影画像に基づいて、歯の紋様に関する情報を取得して、記憶部３７に記憶する。これにより、身元確認等の個体識別に有効な情報を、より簡易かつより効率的に取得することができ、より多くの情報を収集することができる。また、紋様情報及び個体情報を関連付けた照合情報を多数収集してデータベース化、さらにはビックデータ化することで、より的確でより高精度な個体識別が可能な情報を提供することができる。
【００８８】
また、第２実施形態では、撮影画像が、第１実施形態の印象材１等を用いて得られた陰型４若しくは陰型４を用いて得られた陽型、又は個体の歯そのものを、３Ｄスキャン又は２次元撮影して得られた撮影画像とすることができる。これにより、人等の口腔内の歯を撮影するよりも、より簡易に撮影することができる。また、陰型４や陽型を保管しておけば、何度でも撮影することができる。よって、身元確認等の個体識別に有効な情報を、より簡易かつより効率的に取得することができる。
【００８９】
また、第２実施形態では、撮影画像が、個体の歯の表面に白色光若しくは紫外光を照射して撮影された撮影画像、又は蛍光色素が塗布された歯の表面に紫外光を照射して撮影された撮影画像を用いることもできる。この場合も、歯の紋様が明確な撮影画像を取得することができるとともに、被撮影者への負担も少なく、口腔内の歯の紋様を、撮影者がより簡易に撮影することができる。
【００９０】
（第３実施形態）
次に、第３実施形態の個体識別装置及びこの個体識別装置を備えた個体識別システムについて、図８を参照しながら説明する。図８は、第３実施形態に係る個体識別装置２００及び個体識別システム２０００の機能ブロック図である。
【００９１】
第３実施形態の個体識別装置２００は、情報処理部（制御装置）６０を主に備えて構成され、この他にも、入力部６１、表示部６２、記憶部６３等を備えている。また、通信ネットワークＮを介して外部と通信する通信部を備え、さらに個体識別結果等を印刷する出力部としてのプリンタ等を備えていてもよい。
【００９２】
また、本実施形態の個体識別装置２００は、通信ネットワークＮを介して複数の情報端末６４，６４，・・・と接続され、個体識別システム２０００を構成している。本実施形態の個体識別システム２０００は、情報端末６４から個体識別装置２００に入力される身元不明者（識別対象個体）の歯の紋様に関する歯紋情報を含む識別対象情報と、予め収集されて記憶されている照合情報とを照合して、身元不明者の身元を識別し、その識別結果を情報端末６４へ返すシステムである。
【００９３】
個体識別装置２００は、照合情報を管理し、依頼に応じて身元不明者を識別する個体識別機関（施設）に備えられている。個体識別機関は、特に限定されるものではなく、例えば、国の機関であってもよいし、歯科医師会やこれに関連する機関であってもよいし、個体識別サービスを行う企業等であってもよい。また、第２実施形態の管理機関と同一の機関であってもよい。
【００９４】
個体識別装置２００のハードウェア構成は、特に限定されるものではなく、第２実施形態の歯紋情報収集装置１００と同様のハードウェア構成とすることができる。つまり、情報処理部６０として、ＣＰＵ、ＲＯＭ、ＲＡＭ、入力Ｉ／Ｆ、通信Ｉ／Ｆ、外部機器Ｉ／Ｆ、記憶部等を備えたサーバ用ＰＣ等を用いることができる。入力部６１として、キーボード、マウス、テンキー、タッチパネル等を用いることができる。表示部６２として、ＬＣＤなどの電子表示デバイスを用いることができる。
【００９５】
記憶部６３として、記憶部３７は、ハードディスク、フラッシュメモリ等の記録媒体から構成される。記憶部６３には、個体識別装置２００の動作に必要なプログラムや各種情報が記憶されている。また、記憶部６３は、照合情報データベース６３ａを備えている。この照合情報データベース６３ａは、例えば、クラウドプロバイダ等で提供される大容量ストレージサービス等を用いることができる。
【００９６】
照合情報データベース６３ａには、歯科医院等で取得された複数の個体の歯の紋様に関する紋様情報つまり歯紋情報及び各個体を識別する個体情報が対応づけられた照合情報が予め記憶されている。この照合情報として、例えば、第２実施形態の歯紋情報収集装置１００から提供される。このような照合情報を多数記憶してデータベース化、さらにはビックデータ化することで、より的確で高精度な照合が可能となる。
【００９７】
次に、図８の機能ブロック図を用いて、情報処理部６０及び情報端末６４の機能について説明する。まず情報処理部６０は、図８に示すように、識別対象情報取得部７０、個体識別部７１、身元確認部７２、表示画像制御部７３、記憶部６３として機能する。
【００９８】
識別対象情報取得部７０は、身元不明者の歯紋に関する識別対象情報を取得する。この識別対象情報は、入力部６１から、又は通信ネットワークＮを介して情報端末６４から入力される。
【００９９】
歯紋に関する識別対象情報は、身元不明者の歯紋情報を含む情報であり、身元不明者のＩＤ番号や発見時の状況等の情報も含んでいることがより望ましい。歯紋情報としては、例えば、第１実施形態の印象材１及び歯の紋様取得キット１０で取得した身元不明者の歯紋を含む歯の陰型４や陽型の撮影画像が挙げられる。また、身元不明者の歯の表面に白色光又は紫外光を照射して撮影された撮影画像、蛍光色素が塗布された歯の表面に紫外光を照射して撮影された撮影画像等も挙げられる。また、歯紋をより明確にすべく、このような撮影画像に適宜の画像処理を施した画像等も挙げられる。
【０１００】
ここで、身元不明者とは、身元が特定できない個人のことであり、例えば、災害、事故、事件等で亡くなった被害者が挙げられ、この他にも、記憶喪失者や意識不明者、重症者等、自身で身元を伝えることができない人等が挙げられる。
【０１０１】
個体識別部７１は、識別対象情報取得部７０で取得した識別対象情報を、記憶部６３の照合情報データベース６３ａに記憶された照合情報の歯紋情報と照合して、一致する歯紋情報に対応づけられた個体情報により、識別対象の個体を識別する。
【０１０２】
身元確認部７２は、個体識別部７１での識別結果に基づいて、身元不明者の身元を確認する。また、身元確認部７２は、確認結果（身元情報）として、一致した照合情報の個体情報を情報端末６４へ送信する。
【０１０３】
また、情報端末６４は、身元不明者の身元の確認を依頼する施設、例えば、警察機関、医療機関、災害現場等に設置される。情報端末６４としては、ＣＰＵ、ＲＡＭ、ＲＯＭ等を備えたＰＣ、スマートフォン等の携帯情報機器等を用いることができる。
【０１０４】
また、情報端末６４は、撮像部６５、表示部６６、情報処理部６９等を備えている。また、情報端末６４は、キーボード等の入力部、通信ネットワークＮと接続する通信部等も備えている。撮像部６５は、第１実施形態の撮像部２４と同様に、デジタルカメラ、ＣＣＤカメラ、ＣＴスキャナ、３Ｄスキャナ等を用いることができる。撮像部６５は、前述したように、陰型４、陽型の撮影画像、又は自然光や紫外光を用いて歯そのものの撮影画像を撮影する。表示部６６は、第１実施形態の表示部２２と同様に、ＬＣＤ、有機ＥＬ等の電子表示デバイスを用いることができる。
【０１０５】
また、情報端末６４の情報処理部６９は、図８に示すように、識別対象情報出力部６７、識別結果取得部６８として機能する。識別対象情報出力部６７は、識別対象情報を取得し、個体識別装置２００に向けて出力する。識別対象情報出力部６７は、例えば、撮像部６５で撮影した陰型４、陽型、歯の撮影画像又は適宜の画像処理を施した画像と、入力部等から入力したＩＤ情報を対応づけて識別対象情報を生成する。なお、識別対象情報が情報端末６４側で生成されるものに限定されることはなく、外部記録媒体や通信ネットワークＮを介して情報端末６４に入力された識別対象情報を、識別対象情報出力部６７で取得してもよい。
【０１０６】
識別結果取得部６８は、個体識別装置２００から識別結果としての身元情報を取得し、取得した身元情報を表示部６６に表示する。
【０１０７】
上述のような構成の個体識別装置２００及びこの個体識別装置２００を備える個体識別システム２０００で実行される個体識別処理（個体識別方法、個体識別プログラム）の一例を、図９のフローチャートを参照しながら説明する。第３実施形態では、個体識別として、身元不明者の身元確認を行う。
【０１０８】
ここでは個体識別装置２００及び情報端末６４が起動しており、各々の個体識別プログラムが立ち上がった状態で、個体識別装置２００と情報端末６４とが通信ネットワークＮを介して互いに通信できる状態となっているものとする。
【０１０９】
まず、身元確認の依頼者が、情報端末６４に対して身元確認の指示をすると、識別対象情報出力部６７が、通信ネットワークＮを介して個体識別装置２００に身元不明者に関する識別対象情報を出力する（ステップＳ２０）。この情報端末６４からの識別対象情報を、個体識別装置２００の識別対象情報取得部７０が取得する（ステップＳ２１）。次に、個体識別部７１が、取得した識別対象情報の歯紋情報と、照合情報データベース６３ａの照合情報の歯紋情報とを照合して、一致する歯紋情報があるか否か識別する（ステップＳ２２）。
【０１１０】
この識別結果は、個体識別部７１から身元確認部７２へ通知される。また個体識別部７１は、一致する歯紋情報を検出したきは、対応する照合情報のレコードを身元確認部７２へ出力する。身元確認部７２は、個体識別部７１での識別結果に基づいて身元を確認する。一致する歯紋情報が検出されたという識別結果が得られたときは、身元が確認された旨の確認結果を生成する。この確認結果には、対応する照合情報の個体情報に基づく身元情報も含まれる。一方、一致する歯紋情報が検出されなかったという識別結果が得られたときは、身元が確認されなかった旨の確認結果を生成する（以上、ステップＳ２３）。なお、識別結果や確認結果は、表示画像制御部７３によって個体識別装置２００の表示部６２に表示することもでき、識別機関側でも身元不明者の身元が確認されたことを知ることができる。また、この確認結果を、照合情報データベース６３ａに記憶することで、以後の個体識別に利用することができる。
【０１１１】
身元確認部７２は、通信ネットワークＮを介して情報端末６４に向けて確認結果を出力する（ステップＳ２４）。情報端末６４は、この確認結果を取得し（ステップＳ２５）、確認結果を表示部６６へ表示する（ステップＳ２６）。身元確認の依頼者は、表示部６６に表示された確認結果を視認することで、身元不明者の身元が確認されたか否かを知ることができる。身元が確認された場合は、身元不明者の氏名等の身元情報を知ることができる。
【０１１２】
（変形例）
次に、第３実施形態に係る個体識別装置及び個体識別システムの変形例について説明する。この変形例の個体識別装置及び個体識別システムは、身元確認部７２に代えて図８に破線で示す生体認証部（個体認証部）７４を備えていること以外は、第３実施形態の個体識別装置２００及び個体識別システム２０００と同様の基本構成を備えている。そのため、第３実施形態と同様の構成については、詳細な説明は省略し、第３実施形態と異なる構成について主に説明する。
【０１１３】
この変形例では、識別対象は生体であり、歯紋情報を含む識別対象情報は、生体の歯の撮影画像、又は印象材１を用いて取得した陰型４又はその陽型の撮影画像に基づいて生成される。変形例では、このような識別対象情報と、照合情報データベース６３ａの照合情報に基づいて、生体認証（バイオメトリクス）を行うものである。すなわち、生体認証部７４は、個体識別部７１での識別結果に基づいて、生体認証（個体認証）を行う。
【０１１４】
この場合、情報端末６４は、生体認証等の生体の個体認証が必要な施設、例えば、建物や室内の出入の際、入出国の際など、生体認証が必要な場所に設置されている。
【０１１５】
上述のような構成の変形例の個体識別装置及び個体識別システムで実行される生体認証処理（生体認証方法、生体認証プログラム）の一例を、図９のフローチャートを読み替えながら説明する。
【０１１６】
まず、生体認証の対象者が、例えば、撮像部６５に向かって口を開いて歯を露出すると、撮像部６５がその歯の表面を撮影する。この撮影画像は識別対象情報出力部６７により取得され、生体認証の識別対象情報として、通信ネットワークＮを介して個体識別装置２００に出力される（ステップＳ２０）。この識別対象情報を、個体識別装置２００の識別対象情報取得部７０が取得し（ステップＳ２１）、個体識別部７１が、取得した識別対象情報の歯紋情報と、照合情報データベース６３ａの照合情報とを照合し、一致するものがあるか否か識別する（ステップＳ２２）。この識別結果は、生体認証部７４に通知される。
【０１１７】
生体認証部７４は、ステップＳ２３の身元の確認に代えて、生体の認証を行う。つまり、ステップＳ２２で、一致する歯紋情報が検出されたとの識別結果が得られたときは、生体認証が正常に行われた旨の確認結果を生成し、検出されなかったとの識別結果が得られたときは、生体認証エラーの確認結果を生成する。
【０１１８】
次いで、生体認証部７４は、通信ネットワークＮを介して情報端末６４に向けて確認結果を出力する（ステップＳ２４）。情報端末６４は、この確認結果を取得し（ステップＳ２５）、確認結果を表示部６６へ表示する（ステップＳ２６）。生体認証の対象者や警備担当者等は、表示部６６に表示された確認結果を視認することで、生体認証が正常に行われたか否かを知ることができる。また、確認結果に基づいて、セキュリティ装置等が、生体認証が正常に行われたか否かを識別することができる。そして、この生体認証の結果に基づいて、警備担当者やセキュリティ装置等が、施設等への入出等をコントロールしたり、警告したりすることができる。
【０１１９】
また、他の異なる実施形態として、歯紋情報収集装置（例えば、第２実施形態の歯紋情報収集装置１００）と個体識別装置（例えば、第３実施形態の個体識別装置２００）を備えた歯紋情報収集・個体識別装置及びこれを備えた歯紋情報収集・個体識別システムとすることもできる。このような構成とすることで、歯紋情報の収集とこの歯紋情報に基づく個体識別を同一の機関で、まとめて管理及び実行することができる。
【０１２０】
以上説明したように、第３実施形態の個体識別装置２００は、複数の個体の歯の紋様に関する紋様情報及び各個体に関する個体情報が対応づけられた照合情報が記憶されている記憶部６３（照合情報データベース６３ａ）と、識別対象個体の歯の紋様に関する識別対象情報を取得する識別対象情報取得部７０と、取得した識別対象情報を、記憶部６３の照合情報の紋様情報と照合して、一致する紋様情報に対応づけられた個体情報により識別対象個体を識別する個体識別部７１と、を備えている。また、第３実施形態の個体識別システム２０００は、個体識別装置２００、及び通信ネットワークＮを介して個体識別装置２００と接続された情報端末６４、を備えている。
【０１２１】
また、第３実施形態で実行されるプログラムは、個体識別装置２００で実行されるプログラムは、コンピュータを、複数の個体の歯の紋様に関する紋様情報及び各個体を識別する識別情報が対応づけられた照合情報を記憶する記憶手段（記憶部６３）と、識別対象の個体の歯に関する識別対象情報を取得する識別対象情報取得手段（識別対象情報取得部７０）と、取得した識別対象情報から個体の前記歯の紋様情報を取得し、記憶手段の照合情報の紋様情報と照合して、一致する紋様状態に対応づけられた識別情報により当該個体を識別する個体識別手段（個体識別部７１）として機能させるためのプログラムである。
【０１２２】
したがって、第３実施形態によれば、硬組織の中でも、そのままの形で残り易い歯に着目し、歯の表面に現れる個体固有の紋様に基づいて、個体識別を行うことで、身元確認等の個体識別を、より効率的かつより確実に行うことができる。
【０１２３】
また、第３実施形態において、歯の紋様が、周波条、破折線、唇側面隆線、小窩、溝、切縁及び亀裂から選択されるいずれか又は複数の組み合わせであれば、個体識別に有効なより詳細な情報を取得することができる。また、紋様情報が、個体の上顎中切歯及び上顎側切歯の少なくとも１本の表面の紋様情報を少なくとも含むものであれば、歯の紋様をより明確に採取することができる。また、口腔内の歯であっても、より簡易かつ効率的に採取することができる。また、身元認証等に用いる場合は、認証精度や効率を高めるべく、中切歯や側切歯に限らず、できるだけ多くの歯の（より望ましくは存在するすべての歯の）紋様情報を取得しておくことが好ましい。
【０１２４】
また、紋様情報が、個体から収集した複数の歯の表面の陰型４の撮影画像、又は陰型４を用いて得られる複数の陽型の撮影画像に基づくものであれば、口腔内の歯に比べて、容易に撮影画像を取得することができ、患者等への負担も少なく、適切な紋様情報を取得することができる。また、また、紋様情報が、個体の歯の表面に白色光若しくは紫外光を照射して撮影された撮影画像、又は蛍光色素が塗布された前記歯の表面に紫外光を照射して撮影された撮影画像に基づくものであっても、患者等への身体的、金銭的負担も少なく、歯科医師等も容易に撮影でき、適切な紋様情報を取得することができる。
【０１２５】
また、個体識別情報は、個体の氏名、生年月日、年齢、性別、血液型及び連絡先の少なくともいずれかを含むことで、個体の識別を容易に行うことができる。
【０１２６】
また、第３実施形態では、識別対象個体が、身元不明者であり、個体識別部７１での識別結果に基づいて、身元不明者の身元を確認する身元確認部７２を備えている。軟組織では、腐敗や損傷によって残り難いが、硬組織である歯はそのままの形で残り易く、白骨体や焼死体等でも残り易い。したがって、個体固有の歯の紋様情報に基づいて、身元不明者の身元の確認を、より効率的かつより確実に行うことができる。
【０１２７】
また、第３実施形態の変形例では、個体識別部７１での識別結果に基づいて、個体の認証を行う個体認証部（生体認証部７４）を備えている。指紋認証等の軟組織を用いた個体識別では、指のふやけや怪我等によって、識別できない場合がある。また複製が比較的容易である。また、虹彩認証等を用いる際の虹彩も比較的複製し易い。これに対して、硬組織の歯は残り易く、変化も少ない。また、複製も容易ではない。したがって、個体固有の歯の紋様情報に基づいて、個体認証（生体認証、バイオメトリクス）を、より効率的かつより確実に行うことができる。
【０１２８】
また、第３実施形態及び変形例では、情報端末６４は、識別対象情報を個体識別装置２００に出力する識別対象情報出力部６７と、個体識別装置２００から識別結果を取得する識別結果取得部６８と、取得した識別結果を表示する表示部６６と、を備えている。この構成により、個体識別装置２００から離れた場所からでも、容易に個体識別を依頼することができ、また、個体固有の歯の紋様情報に基づく適切な識別結果を取得することができる。また、表示部６６への表示によって、依頼者が識別結果を明確に把握することができる。
【０１２９】
以上、本発明の実施形態を図面により詳述してきたが、上記各実施形態は本発明の例示にしか過ぎないものであり、本発明は上記各実施形態の構成にのみ限定されるものではない。本発明の要旨を逸脱しない範囲の設計の変更等があっても、本発明に含まれることは勿論である。
【０１３０】
例えば、上記第３実施形態及び変形例に係る個体識別システム２０００において、情報処理部２０の個体識別部７１、身元確認部７２、生体認証部７４等を、人工知能（ＡＩ（Artificial Intelligence））で構成することができる。そして、例えばニューラルネットワーク、ディープラーニング等のアルゴリズムを利用することで、識別対象情報と、ビッグデータ化した照合情報データベース６３ａの照合情報との照合を、より迅速かつより高精度に行うことができる。また、第２実施形態に係る歯紋情報収集装置１００でも、ＡＩを搭載し、ＡＩの学習機能により撮影画像の解析を行うことで、より詳細で個体識別により適した歯紋情報を収集することができる。
【符号の説明】
【０１３１】
６３  記憶部    ６３ａ  照合情報データベース（記憶部）    ６４  情報端末
６６  表示部    ６７  識別対象情報出力部    ６８  識別結果取得部
７０  識別対象情報取得部    ７１  個体識別部    ７２  身元確認部
７４  生体認証部（個体認証部）    ２００  個体識別装置
２０００  個体識別システム    Ｎ  通信ネットワーク    Ｐ  歯紋    Ｔ  歯
【図１】
2020052489.tif 000003
【図２】
2020052489.tif 000004
【図３】
2020052489.tif 000005
【図４】
2020052489.tif 000006
【図５Ａ】
2020052489.tif 000007
【図５Ｂ】
2020052489.tif 000008
【図６】
2020052489.tif 000009
【図７Ａ】
2020052489.tif 000010
【図７Ｂ】
2020052489.tif 000011
【図８】
2020052489.tif 000012
【図９】
2020052489.tif 000013